(57)【要約】【課題】  浴室内に星空を再現することにより、入浴による疲労回復をより効果的に得られるようにすることを目的とする投光器である。【解決手段】  先端開口部３に透明板４を嵌め込んだ密封ハウジング２内に、基端から順に、光源５、コンデンサレンズ群６、多数の星を形成したフィルム７、軸方向Ｌへの移動可能な投影レンズ８、前記した透明板４を同一軸Ｌ上に配した構成で、浴室内に設置して光源５を発光させると、多数の星のドットが浴室内の所定の壁面や天井面に投影照射されて星空が再現され、投影レンズ８を軸方向に移動調整することにより壁面や天井面に対するピントあわせを達成する。光源５等を内蔵したハウジングは完全な密封構造であるので、浴室内で使用しても水分や蒸気が浸入してしまうことはない【選択図】        図１
2009140848.tif 000002
【特許請求の範囲】
【請求項１】
先端開口部（３）に透明板（４）を嵌め込んだ密封ハウジング（２）内に、基端から順に、光源（５）、コンデンサレンズ群（６）、多数の星を形成したフィルム（７）、軸方向（Ｌ）への移動可能な投影レンズ（８）、前記透明板（４）を、同一軸（Ｌ）上に配したことを特徴とする投光器。
【発明の詳細な説明】
【技術分野】
【０００１】
本発明は、浴室で使用する投光器に関する。
【背景技術】
【０００２】
現代の浴室は、単に体を洗う場所としてだけではなく、精神的な安寧を得る場所としても捉えられてきており、長時間にわたる入浴に対応してテレビジョン装置や音響設備を配したり、読書が可能になるようしたり、照明に工夫を凝らしたり等、されてきていた。
【０００３】
特に精神的・肉体的な疲労の回復の一手段として眼を休めることは極めて重要であり、この場合、単に浴槽内で眼を瞑るというだけでなく、柔らかい色調のものを見つめることも良策といわれており、そのため前記したように浴室内の照明にも工夫がなされるのであるが、更に進んである種の光から悠久のイメージが醸し出されるとしたら、それ以上の癒し効果はない。
【０００４】
人にとって最も大きなスケールは宇宙空間であって、その真っ只中に位置するようなイメージが得られれば、疲労回復に大いに役立つであろう。そして、宇宙空間の具体的な視覚認知は星空である。
【０００５】
プラネタリウムはこの星空を人工的に視認できる空間として従来より知られているが、大きな設備を必要とするので一般的ではない。この点に鑑みて以下の如き特許文献の提案がなされている。
【特許文献１】特開２００６−３０８７８５号公報
【発明の開示】
【発明が解決しようとする課題】
【０００６】
この特許文献１の発明は、プラネタリウム装置を簡易な構成にして一般家庭内でも使用できるようにしたものである。しかしながらこの発明はあくまでもプラネタリウム装置に拘泥しているため、天体の運行の再現を目的としており、そのため各種の動力機構を組み込んでいるので、それだけ構造が複雑となっており、単なる照明装置を越えたものになっている。
【０００７】
よって本発明は、上述した従来技術の欠点、不都合、不満を解消するべく開発された投光器であって、浴室内に星空を再現することにより、入浴による疲労回復をより効果的に得られるようにすることを目的とする。
【課題を解決するための手段】
【０００８】
上記課題を解決するため、本発明の投光器は、先端開口部に透明板を嵌め込んだ密封ハウジング内に、基端から順に、光源、コンデンサレンズ群、多数の星を形成したフィルム、軸方向への移動可能な投影レンズ、前記した透明板を同一軸上に配したことを特徴とする構成である。
【発明の効果】
【０００９】
従って本発明の投光器を浴室内に設置し、光源を発光させると、光はコンデンサレンズを透過してフィルムを照射し、多数の星を形成した透明部分を透過して、投影レンズから透明板を透過し、多数の星のドットが浴室内の所定の壁面や天井面に投影照射され、星空が再現されるのである。
【００１０】
この場合、投影レンズを軸方向に移動調整することにより壁面や天井面に対するピントあわせを達成する。
【００１１】
そして光源等を内蔵したハウジングは完全な密封構造であるので、浴室内で使用しても水分や蒸気が浸入してしまうことはない等、本発明は多くの優れた作用効果を奏する。
【発明を実施するための最良の形態】
【００１２】
本発明の投光器１は、密封されるハウジング２の先端開口部３に透明板４を嵌め込み、基端から順に、光源５、コンデンサレンズ群６、多数の星を形成したフィルム７、軸方向への移動可能な投影レンズ８、そして前記した透明板４を同一軸上Ｌに配した構成である。
【実施例１】
【００１３】
ハウジング２は、先端がすぼまる四角錐台筒形状の胴筒９の先端に先端板１０を一体連接すると共に、基端に基端板１１をシールリング１２を介して密封した構成である。先端板１０の中心には開口部３が開設され、この開口部３内にシールリング１３を介して透明板４を密封嵌め込みすることによりハウジング２は密閉される。
【００１４】
基端板１１内には電池ケース１４が配され、この電池ケース１４にはシールリング１５を介して蓋板１６が嵌め込まれる。
【００１５】
電池ケース１４の先端側には、電池ケース１４内の電池と電気的に接続された発光ダイオード等の光源５がケース１７により保持され、胴筒９にシールリング１８を介して装着されたスイッチツマミ１９の先端にスイッチ２０を設け、スイッチツマミ１９を回転させることによりスイッチ２０を開閉し、光源５を点灯させる。この光源５はリード線２１により電池と接続される。
【００１６】
この光源５の先方には、ハウジング２と同一軸心上に第一の鏡筒２２が配される。この第一の鏡筒２２内には、基端より順に集光用、拡大用、反転用の３枚のコンデンサレンズ６が嵌め込まれる。
【００１７】
次に、第一の鏡筒２２の先方にはフィルム７が配される。このフィルム７は星座の多数の星を模したポジフィルムであり、星の部分は光の透過ができる透明である。
【００１８】
またフィルム７の先方には、ハウジング２と同一軸心Ｌ上に投影レンズ８が嵌め込まれた第二の鏡筒２３が配される。円筒形状のこの第二の鏡筒２３には、回動自在にハウジング２に組み付けられた円筒形状のホルダー２４が螺合（図示省略）外装され、第二の鏡筒２３は、ホルダー２４の回動により軸Ｌ方向に沿って前進後退動する。また、ホルダー２４の基端開口端面に肉厚方向に沿って全周に歯溝２５が多数刻設されている。
【００１９】
一方、胴筒９にはシールリング２６を介して装着されたダイヤル２７の軸ピン２８が、上記したホルダー２４の軸心Ｌに直行する形態でハウジング２内に延出し、軸ピン２８の先端に装着した歯車２９がホルダー２４の歯溝２５に歯合して機械的に接続される（図２参照）。即ちダイヤル２２の回動により歯車２９が回動し、この回転力は歯溝２５を介してホルダー２４に伝達されるため、ホルダー２４はハウジング２と同一軸Ｌで回転することになる。そして第二の鏡筒２３はホルダー２４と螺合しているので第二の鏡筒２０が軸方向Ｌに前進後退移動可能となり、第二の鏡筒２３内の投影レンズ８のピント調整ができるようになっている。
【００２０】
従って、基端から順に、光源５、第一の鏡筒１９、フィルム７、第二の鏡筒２０、透明板４をハウジング２と同一軸心Ｌ上に配されることになるのである。
【図面の簡単な説明】
【００２１】
【図１】本発明にかかる投光器の概略断面図である。
【図２】ダイヤルの軸ピンの先端に装着した歯車とホルダーの歯溝との歯合状態を示す拡大説明図である。
【符号の説明】
【００２２】
１    投光器
２    ハウジング
３    先端開口部
４    透明板
５    光源
６    コンデンサレンズ群
７    フィルム
８    投影レンズ
９    胴筒
１０  先端板
１１  基端板
１２  シールリング
１３  シールリング
１４  電池ケース
１５  シールリング
１６  蓋板
１７  ケース
１８  シールリング
１９  スイッチツマミ
２０  スイッチ
２１  リード線
２２  第一の鏡筒
２３  第二の鏡筒
２４  ホルダー
２５  歯溝
２６  シールリング
２７  ダイヤル
２８  軸ピン
２９  歯車
Ｌ    軸心
【図１】
2009140848.tif 000003
【図２】
2009140848.tif 000004